(57)【要約】      （修正有）【課題】縫い付けラベルに小さな文字で表示をしなくても、スマートフォンを利用すれば、被服に関するより多くの情報に容易にアクセスできる被服を提供する。【解決手段】一次元コードまたは二次元コードを有する被服であって、一次元コードまたは二次元コード１００が、生地に直接織り込まれている、または、生地に印刷されている、もしくは、一次元コードまたは二次元コードが表示されているシールが添付されている。【選択図】図１
0003219856.tif 000002
【実用新案登録請求の範囲】
【請求項１】
一次元コードまたは二次元コードを有する被服。
【請求項２】
前記被服は、ネクタイ、スカーフ、ハンカチーフ、ポケットチーフ、メガネ拭き、リボン、または蝶ネクタイである、請求項１に記載の被服。
【請求項３】
前記一次元コードまたは二次元コードは、前記被服の素材、品質表示、または洗濯表示に関する情報を含む、請求項１または２に記載の被服。
【請求項４】
前記一次元コードまたは二次元コードは、製造元または販売元に関する情報を含む、請求項１〜３のいずれに記載の被服。
【請求項５】
前記一次元コードまたは二次元コードは、前記被服の使用方法に関する情報を含む、請求項１〜４のいずれに記載の被服。
【請求項６】
前記一次元コードまたは二次元コードは、ネクタイないしスカーフ、蝶ネクタイの巻き方またはポケットチーフの折り方に関する情報を含む、請求項１〜５のいずれに記載の被服。
【考案の詳細な説明】
【技術分野】
【０００１】
本考案は、被服に関する。
【背景技術】
【０００２】
従来、被服の素材、洗濯表示等は、小さなラベルに印刷したものを被服に縫い付けてあるが、小さな文字で読みにくく、破損や紛失により情報の確認が困難になる場合がある。例えば、特許文献１では身に着けるものに２次元バーコードを印刷し、緊急時に必要な個人情報にアクセスできるシステムが考案されている。
【先行技術文献】
【特許文献】
【０００３】
【特許文献１】特開２０１３−６４８９５号公報
【考案の概要】
【考案が解決しようとする課題】
【０００４】
しかしながら、特許文献１に記載のシステムは、緊急時に必要な個人情報へのアクセスを実現するものであり、対象の被服の素材や品質表示や洗濯表示等の情報を開示するためのものではない。
【課題を解決するための手段】
【０００５】
本考案の一態様の一次元コードまたは二次元コードを有する被服は、その被服の素材や洗濯表示、製造元や販売元、被服の使用方法等に関する情報を含む一次元コードまたは二次元コードを有するものである。
【考案の効果】
【０００６】
本考案の一態様の一次元コードまたは二次元コードを有する被服によれば、縫い付けラベルに小さな文字で表示をしなくても、スマートフォンを利用すれば、その被服に関するより多くの情報に容易にアクセスすることができる。
【図面の簡単な説明】
【０００７】
【図１】本考案の一実施形態にかかるネクタイの（ａ）表面及び（ｂ）裏面の模式図である。
【図２】本考案の一実施形態を利用するためのシステム構成図である。
【図３】本考案の一実施形態にかかる一次元コードまたは二次元コードの使用例を示す図である。
【図４】本考案の一実施形態にかかるスカーフの模式図である。
【図５】本考案の一実施形態にかかるリボンの模式図である。
【考案を実施するための形態】
【０００８】
以下、添付図面を参照して本考案の実施形態を、図１〜５を用いて説明する。
図１〜５のうち、図１はネクタイの（ａ）表面及び（ｂ）裏面を示す模式図であり、図２はシステム構成図であり、図３はＱＲコード（登録商標）使用例図であり、図４はスカーフの模式図であり、図５はリボンの模式図である。
【０００９】
本考案の一実施形態にかかるネクタイ１は、ネクタイの素材、品質表示、洗濯表示、販売元や製造元、ネクタイの結び方に関する情報などを含むコード１００を有するものである。
【００１０】
図２に示すように、ユーザＵは、ネクタイ１が有するコード１００をスマートフォン３によって読み込まれることにより、ネットワークＮを介して、サーバ２に保存してあるネクタイ１に関する詳しい情報を入手することができる。
【００１１】
図３の一次元コードまたは二次元コードの使用例図は、スカーフ４が有するコード１００を図２システム構成図のスマートフォン３によって読み込んだ後、図２システム構成図のスマートフォン３に表示される情報の例である。
【００１２】
図３の（ａ）は、スカーフ４の素材と洗濯表示がスマートフォン３の表示画面に表示されている。
図３の（ｂ）は、スカーフ４の販売元がスマートフォン３の表示画面に表示されている。
図３の（ｃ）は、スカーフ４の結び方がスマートフォン３の表示画面に表示されている。
【００１３】
従来は、小さな縫い付けラベルに素材や洗濯表示などの最低限の情報のみを表示していた。また、販売元や製造元に関しては、ブランド名や社名のみの表示にとどまっていた。本考案の一実施形態にかかる一次元コードまたは二次元コードを有する被服は、被服に表示されたコード１００において、素材や洗濯表示のみならず自社ホームページやオンラインショップへの案内も含むこともできるため、利用者は商品に関する問い合わせをしたいとき、必要な情報に容易にアクセスできるなどの利点がある。また、オンラインショップへの案内は販売促進効果も期待される。
【００１４】
図４のスカーフ４は、その一部にコード１００を有しており、上述したネクタイ１に付されたコード１００と同様の使用方法を取ることができる。なお、スカーフ４がハンカチーフやポケットチーフ、メガネ拭きである場合も、同様である。
【００１５】
図５のリボン５は、その一部にコード１００を有しており、上述したネクタイ１に付されたコード１００と同様の使用方法を取ることができる。なお、リボン５が蝶ネクタイである場合も、同様である。
【００１６】
なお、本明細書において、ネクタイとは、洋服で首または襟のまわりに巻いて前で結ぶ帯状の装飾布のことをいう。
【００１７】
また、本明細書において、スカーフとは、首に巻いたり、頭にかぶったりする方形の薄手の布のことを指す。ハンカチーフやポケットチーフ、メガネ拭きも同様の形状を示す。ポケットチーフは、上着の胸ポケットからのぞかせて飾りとする装飾布のことをいう。
【００１８】
リボンとは、装飾のために用いる、紐上の織物。衣服、服装品、髪飾り、包装、手芸などに使う装飾布のことをいう。蝶ネクタイも同様の形状を示す。蝶ネクタイとは蝶結びにしてつけるネクタイのことを指す。
【００１９】
コード１００に含まれる情報は、特に制限されない。
【００２０】
コード１００に含まれる情報の表記方法は日本語に限定されない。
【００２１】
コード１００は生地に直接織り込む、または印刷する、あるいはシールを添付する方法で表示されることができる。
【００２２】
ここで、素材や洗濯表示、販売元や製造元、装着方法に関する情報を含むコード１００を有する被服を装着する利用者の特徴による、ネクタイ１、スカーフ４、ハンカチーフ、ポケットチーフ、メガネ拭き、リボン５、蝶ネクタイの有用性を説明する。
【００２３】
ネクタイを初めて日常的に締める利用者は、ネクタイの取扱いに不慣れなことが予想されるが、手持ちのスマートフォン内のコードリーダアプリケーションを用いてコード１００を読み込むことで、容易に洗濯表示などの正しい取扱い方法を知ることができる。また、ネクタイの締め方が図解されるため、初心者でも正しくネクタイを締めることができる。スカーフ、ハンカチーフ、ポケットチーフ、メガネ拭き、リボン、蝶ネクタイについても同様の有用性が認められる。
【００２４】
また、中高年齢者は老眼により、従来の縫い付けラベルに表示された小さな文字を読みづらい可能性がある。しかし、手持ちのスマートフォン３内のコードリーダアプリケーションを用いて被服に表示されたコード１００を読み込むことで、容易に必要な情報を知ることができ、スマートフォン３で文字の大きさも自在に調節できる。
【００２５】
さらに、小さな文字を読みづらい、あるいは読めない視覚障害者、または失読症患者は、洗濯表示や製造元情報などを確認したくても、文字情報を確認することが困難である。近年は視覚障害者がＱＲコード（登録商標）を読み込むのに適したスマートフォン用のアプリケーションも開発されている。そのようなアプリケーションを利用して、コード１００を読み込むことで、必要な情報にアクセスすることができるし、スマートフォンの画面読み上げ機能を利用すれば、耳から聞くことで情報を得ることが可能になる。
【００２６】
日本国内で使用されている洗濯表示記号は、外国とは規格が異なるため、日本語が読めない外国語話者は、理解を誤る可能性がある。しかし、手持ちのスマートフォン内のコードリーダアプリケーションを用いてコード１００を読み込めば、必要な情報が表示され、自動翻訳機能を利用して母国語に翻訳すれば容易に理解ができる。
【００２７】
スカーフはシャツの上からではなく、肌に直接巻くことも多いが、縫い付けラベルが肌に直接触れると、かゆみや発疹が出ることがある。特に敏感肌でなくても、かゆみを経験した利用者は多いと思われる。実際、縫い付けラベルを外側に出るように縫い付けてある下着も存在する。
縫い付けラベルを取り除いて使用すれば不快な症状の発生を防ぐことができ、コード１００を直接製品に縫い込むか印刷してあれば、必要な情報を容易に確認することができる。
【００２８】
スカーフは、使用する状態によっては、縫い付けラベルが外に飛び出てしまい、外観を損ね結びなおさなければならないことがある。コード１００を直接被服に縫い込むか印刷してあれば、品質表示等が容易に確認できるため、縫い付けラベルを取り除いて使用することができる。
【００２９】
コード１００は、一次元コードでもよく、二次元コードでもよいが、より多くの情報を含むことができるという点において、二次元コードであることが好ましい。
【００３０】
一次元コードは、バーコードとも呼ばれる。
一次元コードとしては、特に制限されないが、例えば、ＪＡＮ、ＥＡＮ、ＵＰＣ、ＩＴＦ、ＣＯＤＥ３９、ＣＯＤＥ１２８、ＮＷ−７、カスタマバーコードなどが挙げられる。
【００３１】
二次元コードとしては、小さな正方形を上下左右に配列させたマトリックス式（マトリックスコード）と、１次元バーコードを上下に複数重ねたスタック式（スタックコード）がある。
【００３２】
マトリックス式の二次元コードとしては、特に制限されないが、例えば、ＱＲコード（登録商標）、マイクロＱＲコード、ＳＰコード、ベリコード（ＶｅｒｉＣｏｄｅ）、マキシコード（ＭａｘｉＣｏｄｅ）、ＣＰコード、ＤａｔａＭａｔｒｉｘ、ＤａｔａＭａｔｒｉｘ  ＥＣＣ２００、Ｃｏｄｅ１、ＡｚｔｅｃＣｏｄｅ、インタクタコード、カードｅ、カメレオン・コードなどが挙げられる。
【００３３】
スタック式の二次元コードとしては、特に制限されないが、例えば、ＰＤＦ４１７、マイクロＰＤＦ４１７、Ｃｏｄｅ４９、Ｃｏｄｅ１６Ｋ、Ｃｏｄａｂｌｏｃｋ、ＳｕｐｅｒＣｏｄｅ、Ｕｌｔｒａ  Ｃｏｄｅ、ＲＳＳ  Ｃｏｍｐｏｓｉｔｅ、ＡｚｔｅｃＭｅｓａが挙げられる。
【００３４】
ＱＲコード（登録商標）は、コードリーダの普及率が高く、スマートフォン用のアプリケーションの数も非常に多いことから、読み込みが容易であるという点で、本考案の実施形態に好適である。
【００３５】
なお、ＱＲコードリーダは、スマートフォンに限定されず、タブレット端末やその他のＱＲコードリーダなど任意のものを適宜使用可能である。
【００３６】
コード１００には、素材や洗濯表示などの情報が直接含まれていても良いが、例えば、図２のサーバ２に素材や洗濯表示などの情報を保存しておき、コード１００には素材や洗濯表示などの情報が保存されている場所に関する情報を保存しておいてもよい。
【００３７】
コードリーダは、コード１００を読み込んで得た情報を、保存しておいてもよい。
【００３８】
コード１００に、サーバのＩＰアドレスを記録し、手持ちのスマートフォンのＱＲコードリーダを用いて、ネットワークを介してサーバにアクセスし、そこで素材や洗濯表示などの情報を取得することもできる。
【００３９】
素材や洗濯表示などの情報を呼び出すための情報としては、特に制限されないが、例えば、サーバのＩＰアドレスの他、ＵＲＬ、サーバパスなどが挙げられる。
【００４０】
図１（ｂ）の例では、ネクタイ１は、大剣の裏にコード１００を有しているが、コード１００の位置は特に制限されない。
【００４１】
図４の例では、スカーフ４は、方形の右下角にコード１００を有しているが、コード１００の位置は特に制限されない。
【００４２】
図５の例では、リボン５は、リボンの裏側にコード１００を有しているが、コード１００の位置は特に制限されない。
【００４３】
コード１００は、ネクタイ１に直接織り込むか印刷してもよく、コード１００を印刷したシールをネクタイ１に貼付してもよいが、よりコード１００が剥がれにくい点から、織り込む方法が好ましい。
【００４４】
コード１００を織り込む方法としては、特に制限されないが、より簡便で微細に表示することが可能な点から、デジタルジャガードが好ましい。コード１００を微細に織り込むことができれば、コード１００により多くの情報を含めることができる。
【００４５】
コード１００を印刷する方法としても、特に制限されないが、インクジェットプリントが好ましい。コード１００を微細に印刷することができれば、コード１００により多くの情報を含めることができる。
【００４６】
ネクタイ、スカーフ、ハンカチーフ、ポケットチーフ、メガネ拭き、リボン、蝶ネクタイの素材、形状、などは特に制限されず、一般に市販されているものに、コードを付与することで、本考案の実施形態とすることができる。
【００４７】
以上、本考案の実施形態について説明したが、本考案は、上述の実施形態に限定されるものではなく、本考案の目的を達成できる範囲での変形、改良等は本考案に含まれるものである。また、本実施形態に記載された効果は、本考案から生じる最も好適な効果を列挙したに過ぎず、本考案による効果は、本実施形態に記載されたものに限定されるものではない。
【００４８】
換言すれば、本考案が適用される被服は、次のような構成を有する、各種各様の実施形態を取ることができる。
即ち、本考案が適用される被服は、
一次元コードまたは二次元コードを有する被服のことである。
【００４９】
本考案が適用される被服は、従来の縫い付けラベルのみの形態より、利用者により多くの情報を提供することができる。
【００５０】
本考案が適用される被服は、ネクタイ、スカーフ、ハンカチーフ、ポケットチーフ、メガネ拭き、リボン、または蝶ネクタイ等とすることができる。
【００５１】
ネクタイ、スカーフ、ハンカチーフ、ポケットチーフ、メガネ拭き、リボン、または蝶ネクタイ等の被服は、日常的には使用しないユーザも多い。ユーザがネクタイ、スカーフ、ハンカチーフ、ポケットチーフ、メガネ拭き、リボン、または蝶ネクタイ等の被服を久しぶりに使用する場合でも、本発明を適用することにより、これらの被服の使用に必要な十分な量の情報を素早く入手することができる。
【００５２】
本考案が適用される被服に表示する一次元コードまたは二次元コードは、被服の素材、品質表示、または洗濯表示に関する情報を含むことができる。
【００５３】
これにより、詳しい情報を容易に確認することができ、利用者が正しく被服を手入れすることができる。
【００５４】
本考案が適用される被服に表示する一次元コードまたは二次元コードは、製造元または販売元に関する情報を含むため、利用者が容易に商品に関する問い合わせをすることができる。また、自社ホームページやオンラインショップへの案内も含むこともできるため、販売促進効果も期待される。
【００５５】
本考案が適用される被服に表示する一次元コードまたは二次元コードは、被服の使用方法に関する情報を含むことができる。
【００５６】
本考案が適用される被服に表示する一次元コードまたは二次元コードは、ネクタイないしスカーフ、蝶ネクタイの巻き方またはポケットチーフの折り方に関する情報を含むため、初心者でも容易に正しく身に着けることができる。
【符号の説明】
【００５７】
１      ネクタイ
２      サーバ
３      スマートフォン
４      スカーフ
５      リボン
１００      コード
Ｎ      ネットワーク
Ｕ      ユーザ
【図１】
0003219856.tif 000003
【図２】
0003219856.tif 000004
【図３】
0003219856.tif 000005
【図４】
0003219856.tif 000006
【図５】
0003219856.tif 000007
【手続補正書】
【提出日】平成30年11月30日(2018.11.30)
【手続補正１】
【補正対象書類名】実用新案登録請求の範囲
【補正対象項目名】請求項１
【補正方法】変更
【補正の内容】
【請求項１】
一次元コードまたは二次元コードが、生地に直接織り込まれている、または、
生地に印刷されている、もしくは、一次元コードまたは二次元コードが表示され
ているシールが添付されている被服。